(57)【要約】      （修正有）【課題】コードリール式マウスのコネクター収容装置を提供する。【解決手段】コードリール式マウスのコネクター収容装置は、マウス本体１、コードリール部２、収容部を備え、マウス本体１は、操作面１１、受け止め面１２、収容空間１３、開口部１４を備え、収容空間１３は操作面１１と受け止め面１２の間に位置し、しかも操作面１１は少なくとも１個のボタン体１５を備える。さらに、コードリール部２は収容空間１３に位置し、コードリール部２はコード体２１、コネクター２２を備え、コード体２１は開口部１４を通して、リニア移動運動を行う。コネクター２２は、コード体２１の一端に連接し、しかも収容空間１３の外に位置し、収容部は受け止め面１２上に位置し、収容部の形状は、前記コネクター２２の形状と相互に対応し、これにより前記コネクター２２を収容することができる。【選択図】図１
0003168102.tif 000002
【実用新案登録請求の範囲】
【請求項１】
コードリール部、収容部を備え、
前記マウス本体は、操作面、受け止め面、収容空間、開口部を備え、
前記収容空間は、前記操作面と前記受け止め面の間に位置し、しかも前記操作面は、少なくとも１個のボタン体を備え、
前記コードリール部は、前記収容空間に位置し、前記コードリール部は、コード体、コネクターを備え、
前記コード体は、前記開口部を通して、リニア移動運動を行い、前記コネクターは、前記コード体の一端に連接し、しかも前記収容空間の外に位置し、
前記収容部は、前記受け止め面上に位置し、前記収容部の形状は、前記コネクターの形状と相互に対応し、これにより前記コネクターを収容することができることを特徴とするコードリール式マウスのコネクター収容装置。
【請求項２】
前記収容部はさらに、吸着部を備え、
前記吸着部は、前記収容空間中に位置し、しかも前記収容に対応する受け止め面上に連接することを特徴とする請求項１に記載のコードリール式マウスのコネクター収容装置。
【考案の詳細な説明】
【技術分野】
【０００１】
本考案はコネクター収容装置に関し、特にコードリール式マウスに運用するコネクター収容装置に関する。
【背景技術】
【０００２】
コンピューターが広く普及する現代では、コンピューターは性能における進歩が求められる他、マウス、キーボードなどの周辺製品も、使用上の利便性が求められ、また使用者にますます重要視されるようになっている。現在コンピューターに使用するマウスは、ハードウエア設備中でもなくてはならない配備である。我々がコンピューターを使用する時、マウスのおかげでコンピューターを簡単に操作でき、動画製作や、文書及びデータの処理を行うことができる。マウスをコンピューターに連接する時、マウス上の伝送線をコンピューターの連接ポートに挿入して接続する。マウスが移動すると、マウス移動の座標情報がコンピューターに入力される。
【０００３】
マウスの移動時には、伝送線が長すぎるため、机上の他の物品に絡みつき、マウスの使用が容易でないという事態もしばしば起こり、或いはマウスの使用時に、伝送線の長さが足りないため、マウスの使用に制限が及ぶこともある。一方、使用しない時に使用者がマウスを取り外した時には、通常は伝送線を直接マウス上に巻きつけ、或いは巻きつけた後の伝動線を紐などで縛る。上記した２種のコード収納方式によれば、伝送線内部の導線が折れ、或いは引っ張られて切れてしまう恐れがあり、これにより、伝送線の接触不良或いは故障を招いている。
【０００４】
よって、市場では、マウス内部にコードリール装置を配置したものが見られる。これにより、使用者はマウスの伝送線を簡単に巻き取ることができる。しかし、現在市販されているコードリール式マウスの設計はみな、伝送線を巻き取ることができるだけで、コネクター(大部分はUSBコネクター)はマウスの外に残される。これでは、スペースをとるだけでなく、コネクターが折れるなどの状況が置き易い。本考案は、従来のコードリール式マウスの上記した欠点に鑑みてなされたものである。
【考案の概要】
【考案が解決しようとする課題】
【０００５】
本考案の第１目的は、コードリール式マウスに収容部を設置し、これによりコードリール式マウスを使用しない時には、コネクターを収納することができるコードリール式マウスのコネクター収容装置を提供することである。
【０００６】
本考案の第２の目的は、コードリール式マウスの底面側に収容部を設置することで、コードリール式マウス全体の体積を縮小し、使用の利便性を達成することができるコードリール式マウスのコネクター収容装置を提供することである。
【０００７】
本考案の第３の目的は、コードリール式マウスに吸着部を設置することで、収納時にコードリール式マウスのコネクターを直接吸着し、これにより収納にかかる時間を節約し、使用の利便性を向上させることができるコードリール式マウスのコネクター収容装置を提供することである。
【課題を解決するための手段】
【０００８】
上述の目的を解決するため、本考案は下記のコードリール式マウスのコネクター収容装置を提供する。
コードリール式マウスのコネクター収容装置は、マウス本体、コードリール部、収容部を備え、
該マウス本体は、操作面、受け止め面、収容空間、開口部を備え、
該収容空間は、該操作面と該受け止め面の間に位置し、しかも該操作面は、少なくとも１個のボタン体を備え、
該コードリール部は、該収容空間に位置し、該コードリール部は、コード体、コネクターを備え、
該コード体は、該開口部を通して、リニア移動運動を行い、該コネクターは、該コード体の一端に連接し、しかも該収容空間の外に位置し、
該収容部は、該受け止め面上に位置し、該収容部の形状は、該コネクターの形状と相互に対応し、これにより該コネクターを収容することができる。
該収容部はさらに、吸着部を備え、
該吸着部は、該収容空間中に位置し、しかも該収容に対応する受け止め面上に連接する。
【考案の効果】
【０００９】
本考案のコードリール式マウスのコネクター収容装置は、収容部を設置することで、使用しない時には、コネクターを収納することができ、コードリール式マウス全体の体積を縮小し、使用の利便性を達成でき、さらに吸着部を設置することで、収納時にコードリール式マウスのコネクターを直接吸着し、これにより収納にかかる時間を節約し、使用の利便性を向上させることができる。
【図面の簡単な説明】
【００１０】
【図１】本考案コードリール式マウスのコードを巻く使用状態の実施例を示す立体構造模式図である。
【図２】本考案コードリール式マウスのコードを巻き収納した状態の実施例を示す立体構造模式図である。
【図３】本考案コードリール式マウスの受け止め面の実施例を示す正視構造模式図である。
【考案を実施するための形態】
【００１１】
本考案コードリール式マウスのコードを巻く使用状態、及び収納した状態の実施例を示す立体構造模式図、本考案コードリール式マウスの受け止め面の実施例を示す正視構造模式図である図１〜３に示すように、本考案コードリール式マウスのコネクター収容装置は、マウス本体１、コードリール部２、収容部３を備える。
【００１２】
マウス本体１は、操作面１１、受け止め面１２、収容空間１３、開口部１４を備える。収容空間１３は、操作面１１と受け止め面１２の間に位置し、しかも操作面１１は、少なくとも１個のボタン体１５を備え、これにより使用者(図示なし)は、ボタンを押して作動させることができる。受け止め面１２は、平面(図示なし)上において移動を行うことができる。
【００１３】
コードリール部２は、収容空間１３に位置する。コードリール部２は、コード体２１、コネクター２２を備える。コード体２１は、扁平な配線構造である。コネクター２２は、現在では大部分は、USBコネクターで、扁平状の長方体構造である。コード体２１は、転折接触体２３により、やや９０度に折れた後、さらにコネクター２２と相互に連接する。これにより、コード体２１とコネクター２２の延伸方向は連接し、おおよそ平行状態を呈する。コード体２１は、開口部１４を通過し、これによりコネクター２２は、収容空間１３外に位置する。使用時には、力を入れて、コード体２１にリニア移動運動９１行わせる。
収容時には、転折接触体２３が開口部１４を押さえ、これによりコネクター２２は収容空間１３外に位置する。
【００１４】
収容部３は、受け止め面１２上に位置する。収容部３の形状は、コネクター２２の形状と相互に対応し、これによりコネクター２２を収容することができる。本考案実施例中では、コネクター２２はUSBコネクターである。よって、コネクター２２部分は金属材質製造である。収容部３はさらに、吸着部４を備える。吸着部４は、収容空間１３中に位置し、しかも収容３に対応する受け止め面１２上に連接する。吸着部４は、磁石により製造するため、コードリール部２が収納を行う時、転折接触体２３により、開口部１４において接触し、吸着部４は、磁力により、コネクター２２を収容部３中に吸着する。
【符号の説明】
【００１５】
１  マウス本体
１１  操作面
１２  受け止め面
１３  収容空間
１４  開口部
１５  ボタン体
２  コードリール部
２１  コード体
２２  コネクター
２３  転折接触体
３  収容部
４  吸着部
９１  リニア移動運動
【図１】
0003168102.tif 000003
【図２】
0003168102.tif 000004
【図３】
0003168102.tif 000005